(57)【要約】【課題】  簡単な構成で、新聞受けに新聞が配達されたことを住戸側から容易に確認することができ、また、差し込まれた新聞の取出しが容易な新聞受けを提供することにある。【解決手段】  後方が開放された横断面略Ｕ字型の柱状部材である門柱本体１の前面板材２０に開口した新聞差込口１４を有し、新聞差込口１４は、新聞Ｎを保持することのできる大きさに形成されてなるものである。また、門柱本体１の側面板材３間の新聞差込口１４と略同一の高さに、新聞差込口１４に差し込まれた新聞Ｎを載置するためのバー材１５が架設されている。【選択図】  図３
2005278669.tif 000002
【特許請求の範囲】
【請求項１】
後方が開放された横断面略Ｕ字型の柱状部材の前面板材に開口した新聞差込口を有し、前記新聞差込口は、新聞を保持することのできる大きさに形成されてなるものであることを特徴とする新聞受け。
【請求項２】
前記柱状部材の側面板材間の前記新聞差込口と略同一の高さに、前記新聞差込口に差し込まれた新聞を載置するためのバー材が架設されてなることを特徴とする請求項１に記載の新聞受け。
【請求項３】
前記新聞差込口の開口は、略扇型に形成されてなることを特徴とする請求項１もしくは請求項２のいずれかに記載の新聞受け。
【請求項４】
前記柱状部材は門柱であることを特徴とする請求項１乃至３のいずれかに記載の新聞受け。
【請求項５】
前記柱状部材内部の上方側には、下方に向かって光を照射する照明装置が設置されていることを特徴とする請求項１乃至４のいずれかに記載の新聞受け。
【請求項６】
前記前面板材の新聞差込口が形成される板材部分は、透光性の材料から形成されているものであることを特徴とする請求項５に記載の新聞受け。
【発明の詳細な説明】
【技術分野】
【０００１】
本発明は、住戸の玄関前に立設される門柱に形成される新聞受けに関するものである。
【背景技術】
【０００２】
従来の柱状部材に形成される新聞受けとしては、図５に示すような、内部が中空で四角柱状の門柱３１の正面側に、新聞受けと郵便受けを兼ねた容器状の新聞受け３２が別途設置されているものが知られている。このような新聞受けにおいては、別途容器状の新聞受け３２を取り付ける必要があり、構造が煩雑になるとともにその分のコストが必要になる。また、新聞受け３２が門柱３１の正面側に設置されているため、新聞受け３２に新聞が配達されたことを住戸側から確認することができないという問題があった。（特許文献１）。
【特許文献１】特開２００１−１２３７７６号公報
【発明の開示】
【発明が解決しようとする課題】
【０００３】
本発明は、このような点に鑑みてなされたものであり、その目的とするところは、簡単な構成で、新聞受けに新聞が配達されたことを住戸側から容易に確認することができ、また、差し込まれた新聞の取出しが容易な新聞受けを提供することである。
【課題を解決するための手段】
【０００４】
上記した課題を解決するために、本発明の請求項１に係る新聞受けは、後方が開放された横断面略Ｕ字型の柱状部材の前面板材に開口した新聞差込口を有し、前記新聞差込口は、新聞を保持することのできる大きさに形成されてなるものであることを特徴とする。
【０００５】
本発明の請求項２に係る新聞受けは、前記柱状部材の側面板材間の前記新聞差込口と略同一の高さに、バー材が架設されてなることを特徴とする。
【０００６】
本発明の請求項３に係る新聞受けは、前記新聞差込口の開口が、略扇型に形成されてなることを特徴とする。
【０００７】
本発明の請求項４に係る新聞受けは、前記柱状部材が門柱であることを特徴とする。
【０００８】
本発明の請求項５に係る新聞受けは、前記柱状部材内部の上方側には、下方に向かって光を照射する照明装置が設置されていることを特徴とする。
【０００９】
本発明の請求項６に係る新聞受けは、前記前面板材の新聞差込口が形成される板材部分が、透光性の材料から形成されているものであることを特徴とする。
【発明の効果】
【００１０】
本発明の請求項１に係る新聞受けによると、後方が開放された横断面略Ｕ字型の柱状部材の前面板材に開口した新聞差込口を有し、前記新聞差込口は、新聞を保持することのできる大きさに形成されてなるものであるので、開口を形成するだけの簡単な構成で、新聞受けを設けることができ、また、後方が解放されているので、新聞受けに新聞が配達されたことを住戸側から容易に確認することができる上に、差し込まれた新聞を容易に取出すことができる。
【００１１】
本発明の請求項２に係る新聞受けによると、請求項１に記載の効果に加えて、前記柱状部材の側面板材間の前記新聞差込口と略同一の高さに、前記新聞差込口に差し込まれた新聞を載置するためのバー材が架設されてなるので、新聞差込口に差し込まれた新聞を略水平に保持することができる。そのため、後方からの新聞の取り出しに支障をきたすことなく、より安定した状態で新聞を保持することができる。
【００１２】
本発明の請求項３に係る新聞受けによると、請求項１もしくは請求項２のいずれかに記載の効果に加えて、前記新聞差込口の開口は、略扇型に形成されてなるので、折り畳まれた新聞の折り目部を、扇型の先端部に合わせるように差し込めば、折り畳まれた新聞が開放されて扇型の円弧部に沿って開いてゆき、より安定した状態で新聞を保持することができる。
【００１３】
本発明の請求項４に係る新聞受けによると、請求項１乃至３のいずれかに記載の効果に加えて、前記柱状部材は門柱であるので、玄関付近に別途新聞受けを設ける必要が無く、また、柱状部材の新聞差込口が形成されている以外のスペースに表札や照明等の門柱として必要な部材を設置できて、スペースの有効活用を図ることができる。
【００１４】
本発明の請求項５に係る新聞受けによると、請求項１乃至４のいずれかに記載の効果に加えて、前記柱状部材内部の上方側には、下方に向かって光を照射する照明装置が設置されているので、照明装置を点灯させることにより、周囲が暗い状況であっても新聞受けに新聞が配達されたことを住戸側から容易に確認することができる。また、柱状部材内部に照射される照明装置の光が、新聞差込口から前方に洩れて、新聞配達人は、周囲が暗い状況であっても、容易に新聞差込口を認識することができる。さらに、柱状部材が門柱である場合には、門柱に必要な照明装置と兼用することができる。
【００１５】
本発明の請求項６に係る照明付きの新聞受けによると、請求項５に記載の効果に加えて、前記新聞差込口が形成される板材部分は、透光性の材料から形成されているので、前記柱状部材内部に設置されて内部を照射する照明装置の光が、新聞差込口がの周辺から前方に透過され、新聞配達人は、周囲が暗い状況下であっても、容易に新聞差込口を認識することができる。
【発明を実施するための最良の形態】
【００１６】
本発明の実施形態を図１乃至図４に基づいて説明する。図１は、本実施形態における新聞受けを備えた門柱構造の設置位置を示す説明図であり、図２は、本実施形態における新聞受けを備えた門柱構造の（ａ）上面図、（ｂ）正面図、（ｃ）側面図からなる三面図である。また、図３及び図４は、それぞれ本実施形態における新聞受けを備えた門柱構造の前方及び後方から見た概要を示す斜視図である。図１乃至図４において、１は門柱本体、２は上部前面板材、２ａは上段部、２ｂはインターホン設置用孔、３は側面板材、３ａは左右段部、４は上面板材、５は照明装置、６は電球、７は照明カサ部、８は下部前面板材、８ａは下段部、９は表札設置用板、１０は透光部、１１は第１の固定用部材、１２は第２の固定用部材、１３は係止具、１４は新聞差込口、１５はバー材、１６はインターホン、１７は背板、２０は前面板材、Ａは傘、Ｃは共用廊下、Ｅは玄関、Ｇは門柱構造、Ｎは新聞、Ｒは住戸、Ｓはアルコーブスペースである。なお、以下の実施形態において、共用廊下Ｃに近い方を「前方」、門柱本体１より玄関部Ｅに近い方を「後方」とする。
【００１７】
本実施形態における新聞受けを備えた門柱構造Ｇは、図１に示すように、集合住宅における各住戸Ｒの玄関Ｅ前に形成されたアルコーブスペースＳ内の所定の位置に立設される。この立設される位置は、共用廊下Ｃや玄関Ｅまでの距離及びアルコーブスペースＳの広さ等を考慮して決定される。
【００１８】
図２乃至図４に示すように、本実施形態における新聞受けを備えた門柱構造は、一対の側面板材３と、側面板材３の前端部間に設置される前面板材２０と、側面板材３及び前面板材２０の上端を閉塞する上面板材４を備えた、後方が開放された横断面略Ｕ字型の門柱本体１と、門柱本体１内部の上方側に設置されて、下方に向かって光を照射する照明装置５とを具備している。
【００１９】
前面板材２０は、上部に形成される上部前面板材２と、下部に形成される下部前面板材８と、上部前面板材２と下部前面板材８間に形成される透光部１０とから構成される。上部前面板材２は、ステンレス鋼鈑からなる略矩形の平板状部材であり、その下端には透光部１０の上端部を嵌め込むために前方に突出する上段部２ａが形成されている。この上部前面板材２の中心部やや上方には、厚さ方向に貫通する略円形のインターホン設置用孔２ｂが形成されており、前面側にはインターホン１６が設置され、インターホン１６の配線等は、インターホン設置用孔２ｂに挿通させて門柱本体１の内部に収納される。
【００２０】
また、下部前面板材８は、上部前面板材２と同様にステンレス鋼鈑からなる略矩形の平板状部材であって、上部前面板材２と略同一幅であり、高さ方向の辺長さは上部前面板材２に比べて十分に小さくなるように形成されている。この下部前面板材８の上端には、透光部１０の下端部を嵌め込むために前方に突出する下段部８ａが形成されている。
【００２１】
透光部１０は、アクリルやポリカーボネート、ガラス、透明板材にアクリルフィルムを貼付けたもの等からなる半透明の透光板で、上部前面板材２や下部前面板材８と略同一幅に形成されている。
【００２２】
側面板材３はアルミニウム合金からなる断面略矩形の板状の押出し棒材であって、一対の側面板材３の前端の相対向するコーナー部には、上部前面板材２、下部前面板材８及び透光部１０のそれぞれの側端部を嵌め込むために、前方に突出する左右段部３ａが全長にわたって形成されている。
【００２３】
この一対の側面板材３の前端は、左右段部３ａの上部に上部前面板材２が嵌め込まれて結合され、下部に下部前面板材８嵌め込まれて結合され、前面板材２０の中央部は開放された状態となっている。この中央部に、透光板の四辺をそれぞれ左右段部３ａ、上段部２ａ、下段部８ａが当接するように透光板を嵌め込んで、図４に示すように、裏側から第１の固定用部材１１を当てて係止具１３にて透光板の下側を側面板材３及び下部前面板材８に螺子止め固定し、同じく裏側から第２の固定用部材１２を当てて係止具１３にて透光板の上側を側面板材３及び上部前面板材２に螺子止め固定して透光部１０が形成される。このような構成とすることにより、透光部１０は門柱本体１に対して着脱可能となり、固定用部材１１、１２の螺子止めを外すことにより、透光部１０を門柱本体１から容易に取り外すことができる。
【００２４】
上面板材４は、側面板材３及び前面板材２０の上端面に固定設置され、上面板材４と上部前面板材２の上端との間には空間が形成されており、この空間に表札設置用板９が設置される。この表札設置用板９は、傾斜角が鈍角になるよう金属板材が屈曲された断面Ｌ字型の板材で、一方の面が上面板材４の下面側略中央部に固定され、他方の面が前方かつ下方に向かって傾斜している。この傾斜している他方の面の中央部には表札を設置するための開口が形成されている。また、金属板材からなる背板１７が上面板材４の下面側に固定されて垂下し、後方から表札設置用板９を保護している。
【００２５】
透光部１０には、扇型の開口である新聞差込口１４が形成されている。この新聞差込口１４の開口の大きさは、折り畳んだ新聞を保持することができる程度の大きさに形成されている。このように、新聞を挿通して保持することのできる大きさに開口された新聞差込口１４を有するので、開口を形成するだけの簡単な構成で新聞受けを設けることができ、また、後方が解放されているので、新聞受けに新聞が配達されたことを住戸側から容易に確認することができる上に、差し込まれた新聞を容易に取出すことができる。さらに、新聞差込口１４が形成される部分は、透光性の材料から形成されているので、門柱本体１の内部に設置されて内部を照射する照明装置５の光が、新聞差込口１４の周辺からから前方に透過され、新聞配達人は、周囲が暗い状況下であっても容易に新聞差込口１４を認識することができる。
【００２６】
また、側面板材３の後方側には、柱状部材の側面板材３間の新聞差込口１４と略同一の高さに、前記新聞差込口１４に差し込まれた新聞Ｎを載置するためのバー材１５が架設されている。そのため、新聞差込口１４に差し込まれた新聞Ｎを略水平に保持することができる。そのため、後方からの新聞の取り出しに支障をきたすことなく、より安定した状態で新聞Ｎを保持することができる。なお、このバー材１５は、板状であってもよい。
【００２７】
また、新聞差込口１４の開口は、略扇型に形成されているので、折り畳まれた新聞Ｎの折り目部を、略扇型の先端部に合わせるように差し込めば、折り畳まれた新聞Ｎが開放されて略扇型の円弧部に沿って開いてゆき、より安定した状態で新聞を保持することができる。この略扇型の開口は、円弧部が上方になるように形成すれば、折り畳み部の開放がよりスムーズになり、より安定した状態で新聞Ｎを保持することができる。
【００２８】
また、図４に示すように、このバー材１５は、傘掛けとしても使用することができ、門柱や玄関口に別途傘掛けや傘置きを設置する必要がなくなってその分のスペースが広くなる上に、別途設置するためのコストを削減することができる。
【００２９】
照明装置５は、内外側に略四分の一球状壁面を有し、内側には反射板が形成されている金属製の照明カサ部７と照明カサ部７の内面側上方に設置されて、点灯・消灯の切換制御が可能な電球６とから構成される。この照明装置５は、照明カサ部７の外面側の平面部分で、前面板材２０の内部側に、下方かつやや後方を向いて固定されている。照明装置５を点灯させることにより、電球６の光は、直接もしくは照明カサ部７内側の反射板で反射されて、下方に照射される。このような照明装置５が設置されることで、周囲が暗い状況であっても新聞受けに新聞が配達されたことを住戸側から容易に確認することができる。また、前側板材２０の新聞差込口１４が形成される部分が透光性を有するものでなくても、門柱本体１の内部に照射される照明装置５の光が、新聞差込口１４から前方に洩れて、新聞配達人は、周囲が暗い状況であっても、容易に新聞差込口１４を認識することができる。
【００３０】
以上のような構成の照明付きの門柱構造とすることで、照明装置５を点灯すると、その光は下方や下方かつやや後方に向かって照射され、照明装置５から下方の門柱本体１内及び門柱本体１より後方の玄関Ｅ前には、この照明装置５からの光が直接照射されて、玄関Ｅ前に必要とされる明るさを確保することができる。一方、透光部１０から前方に透光される光は、半透明の透光部１０を介しているため、まぶしさを抑えた暖かみのあるものとなる。
【００３１】
また、上述したように、透光部１０は門柱本体１に対して着脱可能に形成されているため、透光部１０が損傷や劣化した場合であっても取換えが容易であり、また、色目や模様のようなデザインや、透明度の異なる透光部１０にも取換えが容易であり、透光部１０を取り替えて、所望の色や波長を有した光を得ることができる。
【００３２】
なお、本実施形態においては、透光部１０は前面板材２と下部前面板材８との間に配置されるものであったが、これに限定されるものではなく、下部前面板材８を備えていないもの、すなわち、前面側には前面板材２０と透光部１０のみか構成されるものであってもよいし、透光部１０のみからなるものや透光部１０を有さないものであってもよい。
【００３３】
また、門柱本体１の材質は、本実施形態に用いられるものに限定されるものではなく、門柱として用いることができる公知の材質が好適に用いられる。
【００３４】
本実施形態においては、新聞差込口１４からなる新聞受けは、門柱本体１に形成されていたが、これに限定されるものではなく、後方が開放された横断面略Ｕ字型の柱状部材に形成されるものであればよい。なお、本実施形態のように、柱状部材が門柱である場合には、玄関付近に別途新聞受けを設ける必要が無く、また、柱状部材の新聞差込口１４が形成されている以外のスペースに表札や照明等の門柱として必要な部材を設置できて、スペースの有効活用を図ることができる。また、上述したような照明装置５を門柱に必要な照明装置と兼用することができる。特に、本実施形態のように、柱状部材が照明付きの門柱構造である場合には、透光部１０自身が新聞受けの機能を果たしており、門柱や玄関口に新聞受け装置を別途設置する必要がなくなり、コストの削減やより狭い設置スペースにも対応することができる。
【００３５】
本実施形態においては、新聞差込口１４は略扇型であったが、これに限定されるものではなく、新聞Ｎを挿通させて保持するものであれば、円形や楕円形、矩形、多角形、略星型のようなものであってもよい。
【図面の簡単な説明】
【００３６】
【図１】本発明の実施形態における新聞受けを備えた門柱構造の設置位置を示す説明図である。
【図２】本発明の実施形態における新聞受けを備えた門柱構造の三面図であり、（ａ）は上面図、（ｂ）は正面図、（ｃ）側面図である。
【図３】本発明の実施形態における新聞受けを備えた門柱構造の前方側から見た概要を示す視断図である。
【図４】本発明の実施形態における新聞受けを備えた門柱構造の後方側から見た概要を示す視断図である。
【図５】従来例を示す斜視図である。
【００３７】
１    門柱本体
３    側面板材
１４  新聞差込口
１５  バー材
２０  前面板材
Ｎ    新聞
【図１】
2005278669.tif 000003
【図２】
2005278669.tif 000004
【図３】
2005278669.tif 000005
【図４】
2005278669.tif 000006
【図５】
2005278669.tif 000007